(57)【要約】  収納装置（１１）は、軸線（３９）が上下方向となる筒部（４３）の上端を天面部（４５）で閉塞した片端閉塞筒形状を軸線もしくはその近傍で交差する２平面で切り欠いた縦割りドーム形のシャッター（１５）と、筒部（４３）より高剛性を有し、筒部（４３）の下端面に一体的に固定される円弧状の下部補強部材（１７）と、軸線（３９）を回転中心として回転するシャッター（１５）により開閉される開口部を有した筐体と、筐体に設けられ、軸線（３９）を中心に天面部（４５）を回転自在に吊り下げて支える軸受部（１９）と、筐体に設けられ、下部補強部材（１７）の下面をこの下面に沿って支持する下端支持部（２１）と、筐体に設けられ、下部補強部材（１７）の内周面をこの内周面に沿って支持する内側支持部（２３）と、を備える。
2019093344.tif 000002
【特許請求の範囲】
【請求項１】
軸線が上下方向となる筒部の上端を天面部で閉塞した片端閉塞筒形状を前記軸線もしくはその近傍で交差する２平面で切り欠いた縦割りドーム形のシャッターと、
前記筒部より高剛性を有し、前記筒部の下端面に一体的に固定される円弧状の下部補強部材と、
前記軸線を回転中心として回転する前記シャッターにより開閉される開口部を有した筐体と、
前記筐体に設けられ、前記軸線を中心に前記天面部を回転自在に吊り下げて支える軸受部と、
前記筐体に設けられ、前記下部補強部材の下面をこの下面に沿って支持する下端支持部と、
前記筐体に設けられ、前記下部補強部材の内周面をこの内周面に沿って支持する内側支持部と、を備える、
収納装置。
【請求項２】
前記下端支持部は、前記軸線に直交する水平支軸で回転自在に複数箇所で支持する複数の下部ローラであり、
前記内側支持部は、前記軸線と同方向の垂直支軸で回転自在に複数箇所で支持する複数の内側ローラである、
請求項１に記載の収納装置。
【請求項３】
前記軸受部が、前記軸線を中心に半径方向外側に延出して扇形に形成され、前記天面部を支持する上部補強部材を備える、
請求項１又は２に記載の収納装置。
【請求項４】
前記軸受部、前記下端支持部及び前記内側支持部は、前記シャッターを上方から塑性変形させる荷重又は前記シャッターを半径方向外側から塑性変形させる荷重よりも許容応力が大きく設定される、
請求項１〜３のうちいずれか一項に記載の収納装置。
【発明の詳細な説明】
【技術分野】
【０００１】
本開示は、被収納物を収納する収納装置に関する。
【背景技術】
【０００２】
特許文献１には、建物の開口部の室内側に取り付けられる室内用防犯シャッターが開示されている。この室内用防犯シャッターでは、建物の開口部の室内側上部に、シャッターボックスが設けられる。シャッターボックスは、スラットの巻上又は巻戻の動作を行うスラット巻取部を収容する。開口部の両サイドには、スラット巻取部から巻上又は巻戻されるスラットをガイドするガイド機構が設けられる。室内用防犯シャッターは、ガイド機構により両側をガイドするスラットの昇降により面状の開口部を開閉する。ガイド機構は、スラットに作用する開口部内外方向の一方向の荷重を支持する。
【先行技術文献】
【特許文献】
【０００３】
【特許文献１】日本国特開２００４−３１６２８９号公報
【発明の概要】
【発明が解決しようとする課題】
【０００４】
従来のシャッター装置は、複数方向からの荷重を支えて収納物をシャッターで覆うことができない。【０００５】
本開示は、上述した従来の状況に鑑みて案出され、外力が加わった場合でも、複数方向からの荷重を支えることで、シャッターにより覆われる収容空間に収納された被収納物を的確に保護する収納装置を提供することを主な目的とする。
【課題を解決するための手段】
【０００６】
本開示の収納装置は、軸線が上下方向となる筒部の上端を天面部で閉塞した片端閉塞筒形状を前記軸線もしくはその近傍で交差する２平面で切り欠いた縦割りドーム形のシャッターと、前記筒部より高剛性を有し、前記筒部の下端面に一体的に固定される円弧状の下部補強部材と、前記軸線を回転中心として回転する前記シャッターにより開閉される開口部を有した筐体と、前記筐体に設けられ、前記軸線を中心に前記天面部を回転自在に吊り下げて支える軸受部と、前記筐体に設けられ、前記下部補強部材の下面をこの下面に沿って複数箇所で支持する下端支持部と、前記筐体に設けられ、前記下部補強部材の内周面をこの内周面に沿って複数箇所で支持する内側支持部と、を備える。
【発明の効果】
【０００７】
本開示によれば、外力が加わった場合でも、複数方向からの荷重を支えることで、シャッターにより覆われる収容空間に収納された被収納物を的確に保護できる。
【図面の簡単な説明】
【０００８】
【図１】本実施の形態に係る収納装置の斜視図
【図２】図１に示した収納装置のシャッターが開いた状態の斜視図
【図３】シャッター開閉機構を斜め上から見た斜視図
【図４】図３のシャッター開閉機構を斜め下から見た斜視図
【図５】図３のシャッター開閉機構を背面側から見た斜視図
【図６】図３のシャッターが開方向に移動したシャッター開閉機構の斜視図
【図７】シャッター開閉機構をシャッターの開口端側から見た側面図
【図８】図７のＡ−Ａ断面図
【図９】図８のＢ部拡大図
【図１０】本実施の形態に係る収納装置１１内に搭載されたシャッター駆動機構の一例を表す要部斜視図
【図１１】本実施の形態に係る収納装置１１内に搭載されたシャッター駆動機構を概念的に表した模式図
【発明を実施するための形態】
【０００９】
（本開示の一形態を得るに至った経緯）
従来の収納装置の一例として、上述した特許文献１の室内用防犯シャッターでは、開口部を平面状のシャッターで開閉するため、複数方向から収納物を出し入れできない。これに対し、開口部を多面形状の回転自在なシャッターで覆った場合では、シャッターの天面に外力が加わった場合に、回転部に応力が集中してシャッターが必要以上に（例えば、シャッターとしての使用に差し障りが生じる程度に）変形してしまい、使い勝手が良くないという課題があった。
【００１０】
そこで、以下の実施の形態では、外力が加わった場合でも、複数方向からの荷重を支えることで、シャッターにより覆われる収容空間に収納された被収納物を的確に保護できる収納装置の例を説明する。
【００１１】
以下、適宜図面を参照しながら、本開示に係る収納装置を具体的に開示した実施の形態（以下、「本実施の形態」という）を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になることを避け、当業者の理解を容易にするためである。なお、添付図面及び以下の説明は、当業者が本開示を十分に理解するために提供されるものであり、これらにより特許請求の範囲に記載の主題を限定することは意図されていない。
【００１２】
図１は、本実施の形態に係る収納装置１１の斜視図である。なお、本実施の形態において、上下前後左右の方向は、図１に示した矢印の方向に従う。
【００１３】
本実施の形態に係る収納装置１１は、筐体１３と、シャッター１５と、下部補強部材１７と、軸受部１９（図３参照）と、下端支持部２１（図３参照）と、内側支持部２３（図５参照）と、を主要な構成として有する。
【００１４】
筐体１３は、例えば外形状が六面体で形成される。本実施の形態において、筐体１３は、前後に薄く、上下に高い略直方体又は直方体で形成される。筐体１３は、上面２５と、前面２７と、側面２９とに挟まれる一つの角部が、前面２７と平行な奥面３１、上面２５と平行な底面３３、側面２９と平行な内側面３５とで除去されている。筐体１３は、この角部の除去された入隅部分が開口部３７となる。この開口部３７は、シャッター１５により開閉が可能となる。
【００１５】
図２は、図１に示した収納装置１１のシャッター１５が開いた状態の斜視図である。シャッター１５は、軸線３９（図３参照）が上下方向となる。シャッター１５は、軸線３９を回転中心として回転する。筐体１３は、軸線３９を回転中心として回転するシャッター１５により開閉される。シャッター１５の回転角度は、略９０°に設定される。シャッター１５は、開口部３７の開放時、図２に示すように、ほぼ全体が筐体１３の内部に収容される。
【００１６】
なお、シャッター１５の回転角度は、略９０°に限定されない。シャッター１５の回転角度は、略１８０°以下であれば、任意の角度とすることができる。シャッター１５は、回転角度を略１８０°とした場合には半割りドーム形とすることができる。もっとも、シャッター１５は、未収容部分の露出が許容されるのであれば、半割り以上の周長を有するドーム形であってもよい。
【００１７】
図３は、シャッター開閉機構４１を斜め上から見た斜視図である。本実施の形態におけるシャッター１５は、縦割りドーム形となる。シャッター１５は、軸線３９が上下方向となる筒部４３を有する。筒部４３は、上端を天面部４５で閉塞した片端閉塞筒形状（有底筒形状ともいう）となる。縦割りドーム形とは、この片端閉塞筒形状を、筒部４３の軸線もしくはその近傍で交差する２平面で切り欠いた形状である。本実施の形態において、２平面は、直交する。従って、天面部４５は、円を略四等分した扇形となる。また、筒部４３も、同様に円筒を４等分に縦割りした湾曲板形となる。
【００１８】
筒部４３は、扇形となった天面部４５の周長を有するようにして円周方向に分割されて、天面部４５と連結される。なお、本実施の形態において、天面部４５と筒部４３の法線とは、直交するがこれには限定されない。シャッター１５は、例えば筒部４３に、半球形状の天面部が接続された縦割りドーム形であってもよい。
【００１９】
シャッター１５の材質としては、例えば、炭素鋼（軟鉄：ＳＳ４００等）、炭素鋼（硬鋼：Ｓ５５Ｃ等）、ステンレス鋼（ＳＵＳ３０４）、アルミ（Ａｌ１０５０）の他、ポリプロピレン（ＰＰ）、硬質樹脂材等を用いてもよい。
【００２０】
図４は、図３のシャッター開閉機構４１を斜め下から見た斜視図である。シャッター１５は、筒部４３の下端面に、下部補強部材１７が一体的に固定される。下部補強部材１７は、筒部４３の下端面の周長よりも長く形成される。下部補強部材１７は、筒部４３の下端面から延出した部分が延出部となる。この延出部は、シャッター１５の移動軌跡上に延出する。延出部は、シャッター１５が開口部３７を閉鎖したとき（図１参照）、筐体１３の内部に配置される後述のシャッター駆動機構４７とシャッター１５とを接続するための余長となる。この下部補強部材１７は、筒部４３より高剛性を有する。シャッター１５は、筒部４３の下端面に下部補強部材１７が固定されることにより基準強さが高められる。
【００２１】
収納装置１１は、筐体１３に、下端支持部２１が設けられている。下端支持部２１は、下部補強部材１７の下面を支持する。下端支持部２１は、下部補強部材１７の下面に沿って、複数箇所（例えば、本実施の形態では５箇所）で配置される。なお、下端支持部２１の配置数は５に限定されない。
【００２２】
本実施の形態において、下端支持部２１は、例えば下部ローラ４９となる。下部ローラ４９は、軸線３９に直交する水平支軸５１で回転自在に支持される。水平支軸５１は、支持部材５３に固定される。支持部材５３は、筐体１３に固定される。
【００２３】
図５は、図３のシャッター開閉機構４１を背面側から見た斜視図である。収納装置１１は、筐体１３に、内側支持部２３が設けられている。内側支持部２３は、下部補強部材１７の内周面を支持する。内側支持部２３は、下部補強部材１７の内周面に沿って、複数箇所（例えば、本実施の形態では５箇所）で配置される。なお、内側支持部２３の配置数は５に限定されない。
【００２４】
本実施の形態において、内側支持部２３は、例えば内側ローラ５５となる。内側ローラ５５は、軸線３９と同方向の垂直支軸５７で回転自在に支持される。垂直支軸５７は、内側ローラ５５を回転自在に支持する反対端が、筐体１３に固定される。
【００２５】
なお、本実施の形態においては、下端支持部２１、内側支持部２３が下部ローラ４９、内側ローラ５５である構成を説明するが、下端支持部２１、内側支持部２３はこれに限定されない。下端支持部２１、内側支持部２３は、例えば下部補強部材１７に低摩擦で接触して支持できるものであればローラ等の回転体を備えなくてもよい。
【００２６】
また、本実施の形態においては、下部ローラ４９、内側ローラ５５が筐体１３に支持される構成を説明するが、下部ローラ４９、内側ローラ５５は、下部補強部材１７に設けることもできる。この場合、下部補強部材１７に設けた下部ローラ４９、内側ローラ５５は、筐体１３に固定したレール部材に支持する。
【００２７】
図６は、図３のシャッター１５が開方向に移動したシャッター開閉機構４１の斜視図である。収納装置１１は、シャッター１５を、回転自在に吊り下げて支える軸受部１９を有する。軸受部１９は、筐体１３に設けられ、軸線３９を中心にシャッター１５の天面部４５を回転自在に支持する。収納装置１１は、下部ローラ４９により下部補強部材１７の下面が支えられる。収納装置１１は、この下部ローラ４９の支えがない場合であっても、上部の軸受部１９のみによってもシャッター１５が吊り下げ状態で支持可能となる。
【００２８】
図７は、シャッター開閉機構４１をシャッター１５の開口端側から見た側面図である。シャッター１５は、上述したように、天面部４５が円を略四等分した扇形となり、筒部４３も円筒を４等分に縦割りした湾曲板形となる。軸受部１９は、この扇形の半径方向内側（円弧側と反対側）の回転中央部に接続される。シャッター１５は、下部ローラ４９の支えがない場合を考えると、回転中央部に支持されることにより、片持ち梁状となる。また、本実施の形態のように実際は下部補強部材１７が下部ローラ４９で支えられる構成であっても、天面部４５より荷重が加わった際には、回転中央部に応力が集中しやすい。
【００２９】
図８は、図７のＡ−Ａ断面図である。なお、図７におけるＡ−Ａ断面線は筒部４３の軸線３９と一致する。そこで、収納装置１１は、天面部４５の回転中央部が補強されることにより、シャッター１５の強度が高められている。即ち、軸受部１９は、上部補強部材５９を備えている。
【００３０】
図９は、図８のＢ部拡大図である。上部補強部材５９は、軸線３９を中心に半径方向外側に延出して、扇形に形成される。上部補強部材５９は、天面部４５と相似形状となって天面部４５の回転中央部に固定される。上部補強部材５９は、回転中央部の下面側に配置されて天面部４５を支持する。天面部４５の回転中央部と、上部補強部材５９とは、複数の貫通ボルト６１（図６参照）により固定される。
【００３１】
軸受部１９は、転がり軸受６３を有する。転がり軸受６３は、外輪６５と、内輪６７とを有する。転がり軸受６３は、外輪６５に存在する外輪軌道及び内輪６７に存在する内輪軌道の間に、転動自在に配置される複数の転動体６９を備える。
【００３２】
外輪６５の外周には、大径部７１と、小径部７３とからなる軸受側上部補強部材７５が固定される。軸受側上部補強部材７５は、小径部７３の外周が上部補強部材５９に固定される。軸受側上部補強部材７５は、大径部７１の内周が外輪６５の外周に固定される。
【００３３】
一方、転がり軸受６３は、内輪６７の内周が、フランジ部７７を有する筒状のスリーブ７９の外周に固定される。内輪６７は、スリーブ７９の外周に取り付けられた止め輪８１により、下方向の移動が規制される。軸受部１９は、このスリーブ７９のフランジ部７７が筐体１３に固定ボルト８３で固定されることにより、筐体１３に吊り下げられた状態で支持される。従って、内輪６７が筐体側に固定された転がり軸受６３は、外輪６５により軸受側上部補強部材７５、上部補強部材５９を介して天面部４５の回転中央部を回転自在に支持している。
【００３４】
なお、図９には転がり軸受６３としてラジアル軸受を例示するが、転がり軸受６３は、この他、スラスト軸受やアンギュラ軸受であってもよい。転がり軸受６３に、スラスト軸受やアンギュラ軸受を用いることにより、ラジアル軸受を用いる場合に比べて、より高い軸方向荷重を受けることが可能となる。なお、上記転がり軸受６３は無給油ブッシュであってもよい。
【００３５】
シャッター１５と上部補強部材５９とは、同一の材料である例えば軟鉄（ＳＳ４００）を用いることができる。軟鉄では、引っ張り強度が４５０Ｎ／ｍｍ２となる。シャッター１５と上部補強部材５９とは、同一の材料が用いられた場合には、特に応力集中が生じやすい回転中央部の小半径領域ｒにおいて、上部補強部材５９の板厚Ｔが、シャッター１５の板厚ｔよりも大きく形成される。
【００３６】
そして、収納装置１１の軸受部１９、下端支持部２１及び内側支持部２３のそれぞれは、シャッター１５を上方から塑性変形させる荷重Ｆ（図１１参照）またはシャッター１５を半径方向外側から塑性変形させる荷重Ｆ（図１１参照）よりも許容応力σ（図１１参照）が大きく設定されている。ここで、許容応力とは、該当する部位（例えば、軸受部１９、下端支持部２１、内側支持部２３）が、かけられた荷重に対して収納装置１１の製品としての使用を保証できる程度（例えば、シャッター１５の回転を抑止する程度）に耐えられる応力の最大値を示すものであり、以下同様である。言い換えると、収納装置１１の軸受部１９、下端支持部２１及び内側支持部２３のそれぞれ又はいずれかに対して上述した荷重Ｆがかかった場合であっても、シャッター１５が先に変形することで、収納装置１１の軸受部１９等の変形が抑制され、シャッター１５の回転が不可となる程度に破損または損傷することが回避される。これにより、シャッター１５の形状が荷重Ｆにより少し変化することがあっても、収納装置１１において、シャッター１５の外形（言い換えると、外枠）が大きく変化しないため、収納装置１１の内部の被収納物（例えば、パッケージ体）が的確に保護可能となる。
【００３７】
図１０は、本実施の形態に係る収納装置１１内に搭載されたシャッター駆動機構４７の一例を表す要部斜視図である。本実施の形態において、シャッター１５は、シャッター駆動機構４７により開閉される。シャッター駆動機構４７は、電動モータ８５と、電動モータ８５の駆動軸に固定されるタイミングプーリ８７と、一対のガイドプーリ８９と、タイミングベルト９１とを有する。
【００３８】
下部補強部材１７は、外周にベルト収容溝９３が形成される。タイミングベルト９１は、このベルト収容溝９３に収容される。ベルト収容溝９３に収容されたタイミングベルト９１は、両端がベルト保持部材９５により下部補強部材１７の両端に固定される。
【００３９】
筐体１３に固定された電動モータ８５には、ブラケット９７が固定される。ブラケット９７には、ベルト収容溝９３に沿う一対のガイドプーリ８９が離間して回転自在に支持される。一対のガイドプーリ８９の間には、ガイドプーリ８９を挟んでベルト収容溝９３の反対側に、電動モータ８５の駆動軸が貫通する。この駆動軸には、上記のタイミングプーリ８７が固定される。タイミングプーリ８７の外周には、一対のガイドプーリ８９により方向が転換されたタイミングベルト９１が掛け渡される。
【００４０】
これにより、電動モータ８５が駆動されると、タイミングプーリ８７が回転される。タイミングプーリ８７は、回転することにより、掛け渡されたタイミングベルト９１を回転方向に送る。その結果、シャッター駆動機構４７は、両端が下部補強部材１７に固定されたタイミングベルト９１によりシャッター１５を正逆回転し、開口部３７を開閉可能とする。
【００４１】
なお、本実施の形態では、シャッター１５が電動モータ８５で開閉されが、シャッター駆動機構は、取手等をシャッター１５に取り付けて、手動によりシャッター１５を開閉するものであっても勿論よい。
【００４２】
次に、本実施の形態に係る収納装置１１の構成による作用を説明する。
【００４３】
図１１は、本実施の形態に係る収納装置１１内に搭載されたシャッター駆動機構４７を概念的に表した模式図である。
【００４４】
本実施の形態に係る収納装置１１では、シャッター１５は、軸線３９が上下方向となる筒部４３の上端を天面部４５で閉塞した片端閉塞筒形状を軸線もしくはその近傍で交差する２平面で切り欠いた縦割りドーム形の形状を有する部材である。下部補強部材１７は、筒部４３より高剛性を有し、筒部４３の下端面に一体的に固定される円弧状の部材である。筐体１３は、軸線３９を回転中心として回転するシャッター１５により開閉される開口部３７を有する。軸受部１９は、筐体１３に設けられ、軸線３９を中心に天面部４５を回転自在に吊り下げて支える。下端支持部２１は、筐体１３に設けられ、下部補強部材１７の下面をこの下面に沿って複数箇所で支持する。内側支持部２３は、筐体１３に設けられ、下部補強部材１７の内周面をこの内周面に沿って複数箇所で支持する。
【００４５】
従って、本実施の形態に係る収納装置１１では、縦割りドーム形のシャッター１５が、筐体１３の開口部３７に、この開口部３７を開閉自在に取り付けられる。筐体１３は、開口部３７の内側が、収納物の収容空間となる。シャッター１５は、天面部４５が、軸受部１９により吊り下げられた状態で筐体１３に支えられている。また、シャッター１５は、筒部４３の下端面に下部補強部材１７が一体的に固定されることにより、下部の剛性が高まるように補強されている。更に、この下部補強部材１７は、下面が下端支持部２１により支えられることにより、シャッター１５に作用する上方からの外力を支持する。これに加え、シャッター１５は、下部補強部材１７の内周面が内側支持部２３により支えられることにより、半径方向内側に作用する外側からの外力を支持する。
【００４６】
これにより、収納装置１１は、軸受部１９、下部補強部材１７、下端支持部２１及び内側支持部２３のそれぞれが、複数方向からの荷重を支えることで、シャッター支持構造の破壊を抑制する強度を確保している。その結果、収納装置１１は、複数方向からの収納物の出し入れを可能とする利便性のよい開口部３７を多面形状のシャッター１５で覆いながら、シャッター１５で覆われた収納物を確実に保護できる。
【００４７】
また、収納装置１１は、上部の軸受部１９のみで荷重を受ける場合に比べて、シャッター１５を薄くできる。
【００４８】
また、収納装置１１では、下端支持部２１が、軸線３９に直交する水平支軸５１で回転自在に支持される複数の下部ローラ４９である。内側支持部２３が、軸線３９と同方向の垂直支軸５７で回転自在に支持される複数の内側ローラ５５である。
【００４９】
従って、この収納装置１１では、下端支持部２１が下部ローラ４９であることにより、シャッター１５は、開閉動作時、下部補強部材１７の下面が、回転する下部ローラ４９により低摩擦で支持できる。同様に、内側支持部２３が内側ローラ５５であることにより、シャッター１５は、開閉動作時、下部補強部材１７の内周面が、回転する内側ローラ５５により低摩擦で支持できる。これにより、シャッター１５は、シャッター支持構造の破壊を抑制する強度を確保しながら、開閉のための回転駆動力の増大を抑制できる。
【００５０】
また、収納装置１１は、軸受部１９が、軸線３９を中心に半径方向外側に延出して扇形に形成され、天面部４５を支持する上部補強部材５９を備える。
【００５１】
従って、この収納装置１１では、軸受部１９が、上部補強部材５９を備える。上部補強部材５９は、軸線３９を中心に半径方向外側に延出して扇形に形成される。この上部補強部材５９は、回転中心側が軸受部１９の外輪６５に固定される。つまり、上部補強部材５９は、軸受部１９を介して回転自在に筐体１３に支持されている。上部補強部材５９は、シャッター１５の天面部４５の回転中央部に一体的に固定される。従って、天面部４５に、上方より作用した下方向の外力は、上部補強部材５９を介して軸受部１９から筐体１３へと伝わる。これにより、シャッター１５は、小面積で軸受部１９に接続される天面部４５の回転中央部において、応力集中による破壊を抑制する強度を確保できる。
【００５２】
更に、収納装置１１の軸受部１９、下端支持部２１及び内側支持部２３のそれぞれは、シャッター１５を上方から塑性変形させる荷重Ｆ又はシャッター１５を半径方向外側から塑性変形させる荷重Ｆよりも許容応力σが大きく設定されている。言い換えると、収納装置１１の軸受部１９、下端支持部２１及び内側支持部２３のそれぞれ又はいずれかに対して上述した荷重Ｆがかかった場合であっても、シャッター１５が先に変形することで、収納装置１１の軸受部１９等の変形が抑制され、シャッター１５の回転が不可となる程度に破損または損傷することが回避される。これにより、シャッター１５の形状が荷重Ｆにより少し変化することがあっても、収納装置１１において、シャッター１５の外形（言い換えると、外枠）が大きく変化しないため、収納装置１１の内部の被収納物（例えば、パッケージ体）が的確に保護可能となる。
【００５３】
従って、この収納装置１１では、軸受部１９、下端支持部２１及び内側支持部２３のそれぞれが、シャッター支持構造となる。シャッター支持構造は、シャッター１５を塑性変形させる荷重Ｆよりも許容応力が大きく設定されている。換言すると、シャッター１５を塑性変形させる荷重Ｆは、シャッター支持構造の許容応力σよりも小さく設定される。なお、シャッター１５を上方から塑性変形させる荷重Ｆとは、シャッター材料の引っ張り強度（最大応力）以下で弾性限度以上の荷重Ｆであるとする。
【００５４】
このため、収納装置１１は、シャッター１５を塑性変形させる荷重Ｆが作用すると、シャッター支持構造が破壊される前に、シャッター１５が塑性変形する。従って、収納装置１１は、荷重Ｆが天面部４５や筒部４３に作用した際、シャッター支持構造が破壊されて、直接シャッターが収納物に衝突することを抑制できる。換言すれば、収納装置１１は、シャッター１５が塑性変形することにより衝撃等を吸収して収納物を保護することができる。
【００５５】
従って、本実施の形態に係る収納装置１１によれば、複数方向からの荷重を支えることで、シャッター１５により覆われる収容空間に収納した収納物を保護できる。
【００５６】
以上、図面を参照しながら実施形態について説明したが、本開示はかかる例に限定されないことは言うまでもない。当業者であれば、特許請求の範囲に記載された範疇内において、各種の変更例または修正例に想到し得ることは明らかであり、それらについても当然に本開示の技術的範囲に属するものと了解される。また、発明の趣旨を逸脱しない範囲において、上述した実施の形態における各構成要素を任意に組み合わせてもよい。
【００５７】
なお、上述した本実施の形態において、シャッター１５と上部補強部材５９と下部補強部材１７とが一体で形成されてもよい。この場合、シャッター１５と上部補強部材５９と下部補強部材１７のそれぞれの厚さを適宜、変えることで、シャッター１５と上部補強部材５９と下部補強部材１７の強度（例えば、剛性）を変えることが可能となる。
【００５８】
なお、本出願は、２０１７年１１月１０日出願の日本特許出願（特願２０１７−２１７６８８）に基づくものであり、その内容は本出願の中に参照として援用される。
【産業上の利用可能性】
【００５９】
本開示は、外力が加わった場合でも、複数方向からの荷重を支えることで、シャッターにより覆われる収容空間に収納された被収納物を的確に保護できる収納装置として有用である。
【符号の説明】
【００６０】
１１  収納装置
１３  筐体
１５  シャッター
１７  下部補強部材
１９  軸受部
２１  下端支持部
２３  内側支持部
３７  開口部
３９  軸線
４３  筒部
４５  天面部
４９  下部ローラ
５１  水平支軸
５５  内側ローラ
５７  垂直支軸
５９  上部補強部材
【図１】
2019093344.tif 000003
【図２】
2019093344.tif 000004
【図３】
2019093344.tif 000005
【図４】
2019093344.tif 000006
【図５】
2019093344.tif 000007
【図６】
2019093344.tif 000008
【図７】
2019093344.tif 000009
【図８】
2019093344.tif 000010
【図９】
2019093344.tif 000011
【図１０】
2019093344.tif 000012
【図１１】
2019093344.tif 000013
【手続補正書】
【提出日】令和1年7月11日(2019.7.11)
【手続補正１】
【補正対象書類名】特許請求の範囲
【補正対象項目名】全文
【補正方法】変更
【補正の内容】
【特許請求の範囲】
【請求項１】
軸線が上下方向となる筒部の上端を天面部で閉塞した片端閉塞筒形状を前記軸線もしくはその近傍で交差する２平面で切り欠いた縦割りドーム形のシャッターと、
前記筒部より高剛性を有し、前記筒部の下端面に一体的に固定される円弧状の下部補強部材と、
前記軸線を回転中心として回転する前記シャッターにより開閉される開口部を有した筐体と、
前記筐体に設けられ、前記軸線を中心に前記天面部を回転自在に吊り下げて支える軸受部と、
前記筐体に設けられ、前記下部補強部材の下面をこの下面に沿って支持する下端支持部と、
前記筐体に設けられ、前記下部補強部材の内周面をこの内周面に沿って支持する内側支持部と、を備え、
前記下端支持部は、前記軸線に直交する水平支軸で回転自在に複数箇所で支持する複数の下部ローラであり、
前記内側支持部は、前記軸線と同方向の垂直支軸で回転自在に複数箇所で支持する複数の内側ローラである、
収納装置。
【請求項２】
前記軸受部が、前記軸線を中心に半径方向外側に延出して扇形に形成され、前記天面部を支持する上部補強部材を備える、
請求項１に記載の収納装置。
【請求項３】
前記軸受部、前記下端支持部及び前記内側支持部は、前記シャッターを上方から塑性変形させる荷重又は前記シャッターを半径方向外側から塑性変形させる荷重よりも許容応力が大きく設定される、
請求項１又は２に記載の収納装置。
【国際調査報告】
2019093344.tif 000014
2019093344.tif 000015
2019093344.tif 000016